(57)【要約】【課題】弦楽器を高音質で鳴らすことができる弦楽器励振装置および弦楽器励振システムを提供する。【解決手段】弦楽器励振装置１００は、バイオリン１の表板２に設置される駒２０の上縁部２０ａに係合する一対の係合板１１１，１１２と、一対の係合板１１１，１１２の上端部１１１ａ，１１２ａの間の接合部１１１ｃ，１１２ｃに設けられ、駒２０の上縁部２０ａを挟み込む応力を付与する弾性部材１２０と、一対の係合板１１１，１１２の上端部１１１ａ，１１２ａに突出して設けられ、スピーカ２００の振動部の振動を取付ロッド１３０に伝える取付板１３１と、を備える。【選択図】図３
2019029703.tif 000002
【特許請求の範囲】
【請求項１】
スピーカからの振動を弦楽器に伝えて当該弦楽器を響鳴させる弦楽器励振装置であって、
前記弦楽器の表板に設置される駒の上縁部に係合する一対の係合板と、
一対の前記係合板の上部に設けられ、前記駒の上縁部を挟み込む応力を付与する弾性部材と、
一対の前記係合板の上端から突出して設けられ、前記スピーカの振動部に接続される取付部と、
を備える弦楽器励振装置。
【請求項２】
一対の前記係合板は、前記駒の上縁部を少なくとも一部が面接触となるように挟み込む請求項１に記載の弦楽器励振装置。
【請求項３】
前記弾性部材は、
一対の前記係合板の上部の対向する部分に設けられる請求項１に記載の弦楽器励振装置。
【請求項４】
前記弾性部材は、
前記駒の上縁部と、当該上縁部に連続する両端の少なくとも一部と、を覆うように設けられる請求項１に記載の弦楽器励振装置。
【請求項５】
前記駒は、前記弦楽器の前記表板に立設され、前記上縁部が前記表板に対して上に凸で湾曲し、
一対の前記係合板は、湾曲した前記上縁部に係合する請求項１に記載の弦楽器励振装置。
【請求項６】
前記駒は、前記弦楽器の前記表板に立設され、前記表板に対向する上端面が上に凸で湾曲し、
前記弾性部材は、前記駒の前記上端面に対向する面が、当該駒の前記上端面の湾曲した形状に沿って形成されている請求項１に記載の弦楽器励振装置。
【請求項７】
一対の前記係合板は、前記駒の側端面に形成した凹部に係合する可撓性フックを備える請求項１に記載の弦楽器励振装置。
【請求項８】
一対の前記係合板は、当該係合板の面のそれぞれに設けられた弦の方向に沿って設けられた一対の支持アームと、
前記支持アームに支持され、互いの前記支持アーム側に向かって突出して設けられ、前記弦に係止する係止ピンと、を備える請求項１に記載の弦楽器励振装置。
【請求項９】
さらに、前記支持アームを前記係合板に取り付ける第２弾性部材を備える請求項８に記載の弦楽器励振装置。
【請求項１０】
前記取付部は、スピーカの振動部に連結されたスピーカ取付部を着脱自在に受ける取付受け部を備える請求項１に記載の弦楽器励振装置。
【請求項１１】
請求項１ないし請求項１０のいずれか一項に記載の弦楽器励振装置と、
前記弦楽器励振装置の前記取付部に取り付けられるスピーカと、
備える弦楽器励振システム。
【発明の詳細な説明】
【技術分野】
【０００１】
本発明は、弦楽器励振装置および弦楽器励振システムに関する。
【背景技術】
【０００２】
一般に、弦楽器は、表板（胴板）と裏板および側板とによって構成された響鳴胴を有し、表板には響穴（サウンドホール）が形成されている。また、弦楽器は、表板に板状のブリッジベース部材が接着剤によって固定されており、ブリッジベース部材上には弦の長手方向と直交する方向に延在する駒（ブリッジ）が取り付けられている。
そして、各弦は、ブリッジの上部を通過して一端部をブリッジベース部材に取り付けられたブリッジピンに係止されている。この弦のそれぞれは、他端部をヘッド側に設けられている張力調整機構によって張力を与えられることにより、ブリッジの上面に押し付けられ、ブリッジによって有効な位置を規定される。
このような弦楽器を用いて、弦楽器のブリッジを外部から、例えば圧電振動子やスピーカのような振動手段により響鳴させるシステムが提案されている。
【０００３】
特許文献１には、自動バイオリン用増幅器の出力によって振動する圧電振動子と圧電振動子の固定治具と振動伝達体とを備えた圧電振動・伝達ユニットと、駒の振動により発音する自動バイオリンと、スピーカ・ラインに接続したスピーカ用増幅器と、スピーカ用増幅器に接続したダイナミックスピーカとを備えるバイオリンとスピーカによる重畳再生装置が記載されている。
【０００４】
特許文献２には、ブリッジを備えた弦楽器を加振するための装置であって、前記ブリッジに当接するべき作用点部を備えたベース部材と、前記ベース部材に取り付けられた、電気信号を機械振動に変換する振動発生器とを含み、前記ベース部材が、前記弦楽器の少なくとも１本の弦の上面に係合する支点部と、前記作用点部と前記支点部との中間位置で前記少なくとも１本の弦の下面に係合する力点部と、前記支点部および前記力点部の少なくとも一方を、前記作用点部を前記ブリッジに向けて付勢する向きに変位させるための手段とを有することを特徴とする装置が記載されている。
【先行技術文献】
【特許文献】
【０００５】
【特許文献１】特開２０１１−３５８５１号公報
【特許文献２】ＷＯ２０１４１９９６１３Ａ１号公報
【発明の概要】
【発明が解決しようとする課題】
【０００６】
しかしながら、特許文献１に記載の装置では、バイオリンの胴体の内部に加振機を組み込むもので、バイオリンの製造時に行う必要があり、通常のバイオリンとして扱うことはできない。また、既存のバイオリンを改造して、加振機を組み込むもことも考えられるが、高価なバイオリンにこのような改造を行うことは多くの場合、受け入れられない。
【０００７】
また、特許文献２に記載の加振装置では、支点部および力点部が弦に係合し、作用点部においてブリッジに係合するので、作用点部をブリッジに対して十分に強い力で押し付けることが可能になる。しかしながら、弦楽器から再生される楽音については、一般的なＨｉＦｉスピーカの音質には達していない。
【０００８】
このような観点から、本発明は、弦楽器を高音質で鳴らすことができる弦楽器励振装置および弦楽器励振システムを提供することを課題とする。
【課題を解決するための手段】
【０００９】
上記課題を解決するために、本発明の弦楽器励振装置は、スピーカからの振動を弦楽器に伝えて当該弦楽器を響鳴させる弦楽器励振装置であって、前記弦楽器の表板に設置される駒の上縁部に係合する一対の係合板と、一対の前記係合板の上部に設けられ、前記駒の上縁部を挟み込む応力を付与する弾性部材と、一対の前記係合板の上端から突出して設けられ、前記スピーカの振動部に接続される取付部と、を備える構成とする。
【発明の効果】
【００１０】
本発明によれば、弦楽器を高音質で鳴らすことができる弦楽器励振装置および弦楽器励振システムを提供することができる。
【図面の簡単な説明】
【００１１】
【図１】本発明の第１の実施形態に係る弦楽器励振装置を取り付けた弦楽器の全体構成を示す斜視図である。
【図２】上記第１の実施形態に係る弦楽器励振装置の構成を示す斜視図であり、（ａ）はその斜め上方向から見た斜視図、（ｂ）はその斜め下方向から見た斜視図である。
【図３】上記第１の実施形態に係る弦楽器励振装置の駒への取付けを説明する斜視図であり、（ａ）はその斜め下方から見た取付け前の斜視図、（ｂ）はその斜め下方から見た取付け後の斜視図である。
【図４】上記第１の実施形態に係る弦楽器励振装置の駒への取付けを説明する断面図であり、（ａ）は図３（ａ）のＡ−Ａ矢視断面図、（ｂ）は図３（ｂ）のＡ−Ａ矢視断面図、（ｃ）は係合板の変形例である。
【図５】図３（ｂ）のＢ−Ｂ矢視断面図である。
【図６】上記第１の実施形態の変形例１に係る弦楽器励振装置の構成を示す斜視図である。
【図７】上記第１の実施形態の変形例に係る弦楽器励振装置の構成を示す斜視図であり、（ａ）は変形例２の斜視図、（ｂ）は変形例３の斜視図である。
【図８】本発明の第２の実施形態に係る弦楽器励振装置の構成を示す斜視図である。
【図９】上記第２の実施形態に係る弦楽器励振装置を取り付けた弦楽器の要部構成を示す斜視図であり、（ａ）は弦楽器励振装置を取り付けた斜視図、（ｂ）は弦楽器励振装置の取付け時の斜視図である。
【図１０】上記第２の実施形態に係る弦楽器励振装置を取り付けた弦楽器の要部構成を示す図であり、（ａ）は弦楽器励振装置を取り付けた駒部分の縦断面図、（ｂ）は弦楽器励振装置を弦楽器の表面側から見上げた状態を模式的に示す底面図である。
【図１１】上記第２の実施形態に係る弦楽器励振装置の支持アームを部分的に示すと共に保持方法を説明する図であり、（ａ）（ｃ）（ｅ）（ｇ）はその上面図、（ｂ）（ｄ）（ｆ）（ｈ）はその側面図である。
【図１２】（ａ）〜（ｄ）は実施形態に係るすべての弦楽器励振装置における係合板の係合部の面接触について応用例を説明するために係合板の一部を模式的に示す斜視図である。
【発明を実施するための形態】
【００１２】
以下、本発明の実施形態について図面を参照して詳細に説明する。なお、各図において共通する部分には同一の符号を付し、重複した説明を省略する。
（第１の実施形態）
本実施形態は、弦楽器として例えばチェロやヴィオラなどに適用することができるが、ここではバイオリンに適用した例として説明する。
［全体構成］
図１に示すように、弦楽器励振システムＳは、バイオリン１（弦楽器）を高音質で鳴らす弦楽器励振装置１００と、弦楽器励振装置１００を励振するスピーカ２００と、を備える。スピーカ２００は、音源装置３００からの音信号を再生する。
弦楽器励振装置１００は、スピーカ２００の音響振動を取得し、バイオリン１に伝えて当該バイオリン１を響鳴させる。
【００１３】
バイオリン１は、一般的なものである。また、バイオリン以外の弦楽器にも適用可能である。
バイオリン１は、表板２、裏板３および側板４からなる胴体５と、表板２上からヘッド側に延びる指板６と、胴体５のヘッド側頂部および指板６の背面に固定されたネック７と、を備える。ネック７のヘッド８は、渦巻き９を形成し、糸巻き（ペグ）１０を備える。表板２のテール側には、テールピース１１が固定されテールピース１１にはアジャスタ１２が取り付けられる。表板２には、胴体５内部に開口する一対のｆ字孔１３が形成される。そして、胴体５は、ヘルムホルツ共鳴器を構成している。
【００１４】
表板２の裏面にあるバスバー（図示省略）は、表板２を補強するとともに低音の響きを強め安定させる役割を有する。胴体５内には、魂柱（図示省略）と呼ばれる円柱が立てられており、駒（ブリッジ）２０を通って表板２に達した振動を裏板３に伝える。
弦１５は、正面から見て左が低音、右が高音の弦であり、高音の弦から順にＥ線，Ａ線，Ｄ線，Ｇ線である。４本の弦１５ｅ，１５ａ，１５ｄ，１５ｇは、胴体５に固定されたテールピース１１から駒２０の上を通り、指板６の先にある上駒（ナット）１６に引っ掛けてその先の糸巻き１０に巻き取られる。
【００１５】
駒２０は、４本の弦１５ｅ，１５ａ，１５ｄ，１５ｇを溝２０ｂによって所定の位置に支え、弦１５ｅ，１５ａ，１５ｄ，１５ｇの振動を表板２に伝える。駒２０は、指板６とテールピース１１の間の表板２上に、表板２に対してほぼ垂直となるように設置され、取外し可能である。
駒２０は、弦１５を支持する面とする上端部が上に凸となる緩やかな曲面で形成されている。また、図３に示すように、駒２０は、左右対称ではなく、Ｇ線（音の低い弦１５ｇ）側とＥ線（音の高い弦１５ｅ）側で高さを変えている。高さを左右非対称にすることで、ボウイング（弓遣い）と構えで４本の弦１５ｅ，１５ａ，１５ｄ，１５ｇが扱いやすい位置になるようにしている。
【００１６】
駒２０の上縁部２０ａは、後記する係合板１１１，１１２の係合部１１１ｄ，１１２ｄが当接する領域となるため音感上重要である。以下、上縁部２０ａについて定義する。
本明細書において、駒２０の上縁部２０ａは、駒２０の上端面と駒２０の表裏面とが直交する稜線（角部）と、当該稜線から駒２０の表裏面でそれぞれ下方に所定幅（例えば１〜５ｍｍ）延出した帯状の面部とを合わせていうものとする。例えば、上記帯状の面部の幅を５ｍｍとした場合、当該稜線から５ｍｍ幅の帯状領域で、かつ、溝２０ｂの部分を除いた部分（図３ハッチング部参照）が駒２０の上縁部２０ａとなる。また、上記帯状の面部の幅は、限定されず、５ｍｍ以上であってもよく、０．１ｍｍ以下であってもよい。０．１ｍｍ以下の場合、駒２０の上縁部２０ａは、事実上、上記稜線と等しくなる。また、上記帯状の面部の幅が５ｍｍ以上の場合、駒２０の上縁部２０ａは、開口部２０ｅ（後記）近傍までの領域となる。
【００１７】
駒２０は、その中央部で厚み方向に渦巻き形状の開口部２０ｅが開口し、さらに開口部２０ｅ下方には側端面に渦巻き形状の一端が連通する開口部２０ｆが形成される。駒２０は、足部２０ｃと、足部２０ｃと開口部２０ｆの側端面との間に形成された円形窪み部２０ｄ（図３参照）と、を有する。
【００１８】
バイオリン１に取り付ける駒２０の場合、この駒２０の高さ（足部２０ｃの底面から上端面の最も高い面までの高さ）は約３０ｍｍ、この駒２０の左右幅は約４５ｍｍが一般的である。このような駒２０では、駒２０の上端面の稜線から渦巻き形状の開口部２０ｅの上部までの長さは約６ｍｍとなる。したがって、この駒２０の上縁部２０ａの高さ方向の幅の上限は、上記稜線から５ｍｍ以下（本実施形態では、より好ましくは約３ｍｍ）とし、その下限は上記稜線までとする。
【００１９】
ここで、係合板１１１，１１２の係合部１１１ｄ，１１２ｄ（後記）は、駒２０の上縁部２０ａの少なくとも一部に面接触で当接する。本発明者の実験によれば、係合部１１１ｄ，１１２ｄが当接する上縁部２０ａの高さ方向の幅が小さい（上記稜線近傍である）場合、スピーカの振動は係合板１１１，１１２を介して駒２０に振動は伝わるものの、音ののびやかさや軽やかさがより好ましい状態と比較して失われ、いわゆる窮屈な音となることが分かった。また、駒２０の上縁部２０ａの高さ方向の幅が、上記稜線から５ｍｍより大きい（開口部２０ｅ近傍までとどく）場合、せっかく与えた振動が抑制されてしまうことが分かった。そこで、本実施形態では、上縁部２０ａの高さ方向の幅をより好ましい状態として約３ｍｍとすることで、スピーカの振動を駒２０に良好に伝えながら、のびやかな音を実現することができた。また、上縁部２０ａの高さ方向の幅は、開口部２０ｅまで達していないので、駒２０が弦１５の振動を抑制してしまう弱音効果は生じず、十分な音で鳴らすことができた。
【００２０】
また、図４（ａ）（ｂ）に示すように、駒２０は、上縁部２０ａの厚みよりも足部２０ｃの厚みが大きくなるように、駒２０の厚さが徐々に変化している。例えば、一般的なバイオリンの駒２０の場合、駒２０の高さ約３０ｍｍに対して上縁部２０ａの厚みが２ｍｍ、足部２０ｃ（底部）の厚み４．５ｍｍである。
さらに、後記図５に示すように、駒２０は、一方の面が平面であり、対向する他方の面が凸状に形成されている。
駒２０は、一例として楓材が用いられる。楓材は、有効に音を伝達できるよう密度が高く、木の繊維も規則正しく詰まっている。
【００２１】
［弦楽器励振装置構成］
図２および図３は、第１の実施形態に係る弦楽器励振装置１００の構成を示す斜視図である。なお、駒２０は、説明を分かりやすくするため、バイオリン本体から外して図示している。
説明における弦楽器励振装置１００の幅、高さ、厚さは、図２および図３の矢印の幅Ｗ、高さＨ、厚さＤに沿って形成されることとして説明する。
図２および図３に示すように、弦楽器励振装置１００は、駒２０の上縁部２０ａ（図３ハッチング部参照）に少なくとも係合する一対の係合板１１１，１１２と、係合板１１１の上端部１１１ａと係合板１１２の上端部１１２ａと間に設けられ、駒２０の上縁部２０ａを挟み込む応力を付与する弾性部材１２０と、係合板１１１，１１２の上端部１１１ａ，１１２ａから突出して設けられ、スピーカ２００の振動部（スピーカ振動板；ボイスコイル）の振動を取付ロッド１３０に伝える取付板１３１と、を備える。なお、上記取付ロッド１３０および取付板１３１は、ここでは取付部を構成している。
【００２２】
<係合板１１１，１１２>
係合板１１１，１１２は、弦楽器の表板に設置される駒２０の上縁部２０ａに係合する。
係合板１１１，１１２は、振動を伝えやすい材料、例えば駒２０の材料と同じ材料（例えば楓材）が好適である。なお、係合板１１１，１１２は、振動を伝えやすい材料（軽量かつ適度な密度と剛性がある材料）であれば、他の木材や樹脂等でもよい。
係合板１１１，１１２は、上に凸に湾曲した上端部１１１ａ，１１２ａ（図２（ａ）参照）と、下に凹に湾曲した下端部１１１ｂ，１１２ｂ（図２（ｂ）参照）と、弾性部材１２０を接合する接合部１１１ｃ，１１２ｃと、駒２０の上縁部２０ａを両側から挟んで係合する係合部１１１ｄ，１１２ｄと、弦１５への干渉を避けるように係合板１１１，１１２に切れ込み開口するように形成した逃げ開口部１１１ｅ，１１２ｅと、を有する。なお、下端部１１１ｂ，１１２ｂは、ここでは駒２０の上縁部２０ａの曲面の形状に沿って湾曲して形成されている。
【００２３】
係合板１１１，１１２の幅（Ｗ方向）は、駒２０の上縁部２０ａの幅より少し大きく形成することで、駒２０の上縁部２０ａ全体を覆うことができる。係合板１１１，１１２の下端部１１１ｂ，１１２ｂの高さは、駒２０への取付け作業の容易性も考慮し、駒２０の上縁部２０ａの高さより大きくする。係合板１１１，１１２の逃げ開口部１１１ｅ，１１２ｅは、駒２０に取り付けられたときに、バイオリン１の弦１５に対向し、弦１５に接触しないで弦１５を跨ぐように形成されている。なお、係合板１１１，１１２の厚さは、特に限定されないが、適度な剛性を持つ範囲で駒２０と同等かあるいは駒２０より薄くすることが好ましい。
【００２４】
上述したように、係合板１１１，１１２の係合部１１１ｄ，１１２ｄは、駒２０の上縁部２０ａの少なくとも一部に面接触で当接する。本実施形態では、係合部１１１ｄ，１１２は、駒２０の上縁部２０ａの稜線から３ｍｍ幅の帯状領域において、少なくとも一部が面接触で当接する。
【００２５】
<係合板１１１，１１２の駒２０への当接>
係合板１１１，１１２の係合部１１１ｄ，１１２ｄは、駒２０の上縁部２０ａを少なくとも一部が面接触となるように挟み込む構造であればどのような構造でもよい。例えば、係合部１１１ｄ，１１２ｄは、駒２０の上縁部２０ａの稜線から３ｍｍ幅の帯状領域（図３ハッチング部参照）全域で面接触する態様が挙げられる。また、面接触は、上記帯状領域には限定されず、接触面の大きさや形状は変形可能である。すなわち、接触面の大きさについて、接触面が極めて小さい面である点接触や線接触であっても接触した部分の合計が所定以上となる面接触を含んでいる。また、接触面の形状について、円形以外の矩形形状や接触面が飛び飛びにならんでいる形状も含まれる。
【００２６】
<弾性部材１２０>
弾性部材１２０は、一対の係合板１１１，１１２の上部に設けられ、駒２０の上縁部２０ａを挟み込む応力を付与する。
弾性部材１２０は、シリコンゴム等からなり、可撓性を有する。
弾性部材１２０は、断面視して矩形形状の細長い長方体状部材である。弾性部材１２０は、駒２０の上端面に対向する面が、駒２０の上端面の湾曲した形状に沿って下に凹に湾曲している。また、弾性部材１２０は、上端部が係合板１１１，１１２の上端部１１１ａ，１１２ａに沿って上に凸に湾曲している。弾性部材１２０は、上記形状になるように、取付けるときに変形させて形成するか、上記形状になるように、予め裁断されたものを用いてもよい。
【００２７】
弾性部材１２０は、厚み方向に平行して向かい合う接着面を有し、この接着面が係合板１１１，１１２の接合部１１１ｃ，１１２ｃに接着剤等により強固に接合される。弾性部材１２０と係合板１１１，１１２との接合方法は、接着等に限らずどのような手段（例えばネジ止め）でもよい。
また、弾性部材１２０の厚みは、係合板１１１の接合部１１１ｃと係合板１１２の接合部１１２ｃ間の間隔（距離）を規定する。弾性部材１２０の厚みは、駒２０の上縁部２０ａの厚みにほぼ等しい（詳細後記）。
【００２８】
<取付ロッド１３０>
取付ロッド１３０は、一対の係合板１１１，１１２の上部に突出して設けられ、スピーカの振動部に接続される取付部である。
取付ロッド１３０は、スピーカ２００の振動部の振動を、係合板１１１，１１２の上端部１１１ａ，１１２ａに伝える。取付ロッド１３０は、振動を伝えやすい材料（軽量かつ適度な密度と剛性がある材料）であることが好ましく、例えば係合板１１１，１１２と同じ材質である木材である。取付ロッド１３０は、係合板１１１，１１２や駒２０の材料と同じ楓材であるとより好ましい。また、本実施形態では、取付ロッド１３０は、円柱形状としたが角柱形状であっても構わない。
【００２９】
取付ロッド１３０の上端には、スピーカ２００の振動部（スピーカ振動板；ボイスコイル）の振動を取付ロッド１３０に伝える円形の取付板１３１が取り付けられている。取付板１３１の上面には、スピーカ２００の振動部に接着剤で接着する円形の接合面１３１ａが形成されている。
取付ロッド１３０は、上端が円形の取付板１３１に固定され、下端が係合板１１１，１１２の上端部１１１ａ，１１２ａの中央部に固定される。なお、取付ロッド１３０は、係合板１１１，１１２の上端部１１１ａ，１１２ａに当接していればよいため、係合板１１１，１１２および弾性部材１２０を合わせた厚みよりも柱幅が大きくても小さくても構わない。なお、取付部は、ここでは、取付ロッド１３０と取付板１３１とを備えていることとする。
【００３０】
<スピーカ２００>
スピーカ２００は、電気信号を前後方向に振動するボイスコイルと、ボイスコイルに直結された振動版 (いずれも図示省略)と、を備え、この振動板が振動することで音信号と等しい波形の音が空気中に放射される。振動板は、円形のコーン紙からなる。
本実施形態では、スピーカ２００の振動部である円形のコーン紙に、取付板１３１の円形の接合面１３１ａそのものを接着剤により直付する。これにより、スピーカ２００の振動部（コーン紙）の振動は、取付ロッド１３０を介して係合板１１１，１１２に伝わる。
ここで、スピーカ２００から音響振動を取得する目的に鑑みると、取付板１３１は、スピーカ振動板（ボイスコイル）の厚さと略同じ厚さのような薄い円盤であることが好ましい。また一般に、振動の伝達特性は振動伝達の距離による影響を受ける。このため取付ロッド１３０は、係合板１１１，１１２の上端部１１１ａ，１１２ａの高さ方向の長さと比較して、２倍以内に収まるような短いロッドであることが好ましい。また、取付板１３１に複数の孔を開孔し、取付板１３１の軽量化を図る構成でもよい。また、取付板１３１に、凹凸形状を設けることで強度を高める構成としてもよい。
【００３１】
<音源装置３００>
音源装置３００は、スピーカ２００に音信号を出力するものであればどのような電子機器でもよい。音源装置３００は、バイオリンなどの弦楽器の音を音源として出力している。弦楽器の音を音源として出力した場合、実演奏に近く、リアリティ度の高い楽音を再生することができる。
【００３２】
以下、上述のように構成された弦楽器励振装置１００の作用効果について説明する。
<取付け前>
図３（ａ）に示すように、一例として、駒２０は、上部丸み形状の上縁部２０ａと、上縁部２０ａの上端に形成された弦溝２０ｂと、足部２０ｃと、足部２０ｃを形成する円形開口部２０ｄと、を備える。図４（ａ）に示すように、上縁部２０ａの厚みはｄ３、足部２０ｃの厚みはｄ４である。
図３（ａ）に示すように、弦楽器励振装置１００は、係合板１１１，１１２の係合部１１１ｄ，１１２ｄの間隔は、ｄ１であり、係合板１１１，１１２の下端部１１１ｂ，１１２ｂは、下方側に開放されている。
【００３３】
係合板１１１の上端部１１１ａと係合板１１２の上端部１１２ａは、弾性部材１２０に接合された片持ち構造となっているので、係合板１１１，１１２の下端部１１１ｂ，１１２ｂでは、互いにある程度開閉が可能である。そして、図３（ａ）に示すように、係合板１１１の係合部１１１ｄと係合板１１２の係合部１１２ｄとの間隔（距離）をｄ１、係合板１１１の下端部１１１ｂと係合板１１２の下端部１１２ｂとの間隔（距離）をｄ２とすると、弦楽器励振装置１００の駒２０への取付け前の距離は、ｄ１＝ｄ２である。また、駒２０の上縁部２０ａの厚みｄ３との関係で見ると、ｄ１＝ｄ２＜ｄ３である。ただし、ｄ１＝ｄ２＜ｄ３ではあるものの、ｄ２とｄ３の実寸法の差は、僅少である。
【００３４】
<取付け時>
上述したように、弦楽器励振装置１００は、弾性部材１２０を介在させた片持ち構造により、係合板１１１の下端部１１１ｂと係合板１１２の下端部１１２ｂとの間を、弾性部材１２０の弾性力に抗して僅かに拡げることができる。
図３（ｂ）の矢印に示すように、係合板１１１の下端部１１１ｂと係合板１１２の下端部１１２ｂ間に、駒２０の上縁部２０ａを挟んで押し込む。
図４（ｂ）に示すように、駒２０の厚さは、上縁部２０ａから足部２０ｃに向かって徐々に厚くなっているので、係合板１１１の下端部１１１ｂと係合板１１２の下端部１１２ｂ間に、駒２０の上縁部２０ａが押し込まれると、係合板１１１の下端部１１１ｂと係合板１１２の下端部１１２ｂは、駒２０の上縁部２０ａの形状に沿って拡げられる。これにより、駒２０の上縁部２０ａを係合板１１１，１１２の係合部１１１ｄ，１１２ｄに少なくとも一部を面接触として当接させることができる。
【００３５】
なお、説明の便宜上、係合部１１１ｄ，１１２ｄは、駒２０の上縁部２０ａの稜線から３ｍｍ幅の帯状領域としているが、一部が面接触となるものであればよい。また、図１２（ａ）（ｄ）のように、係合部１１１ｄ，１１２ｄが、駒２０の上縁部２０ａの複数箇所に接触する態様も含まれる。さらに、図１２（ａ）の頂上面１１３の面積が極小で点接触とみなせるものや図１２（ｂ）のように直線頂上の突起部１１４を備える態様でもよい。
【００３６】
また、図５に示すように、駒２０は、一方の面が平面であり、対向する他方の面が凸状に形成されている。係合板１１１の下端部１１１ｂと係合板１１２の下端部１１２ｂ間に、駒２０の上縁部２０ａが押し込まれると、駒２０の凸状に形成された面が、係合板１１１の下端部１１１ｂをこの形状で押し広げる。これにより、係合板１１１の下端部１１１ｂは、駒２０の凸状面形状に合わせて凸状に撓って、係合板１１１，１１２の係合部１１１ｄ，１１２ｄに駒２０の上縁部２０ａの少なくとも一部または全部と面接触するように当接させることができる。ここで、係合板１１１，１１２の係合部１１１ｄ，１１２ｄは、駒２０の上縁部２０ａに隙間なく当接させることがより好ましい。
【００３７】
なお、図４（ｃ）に示すように、係合板１１１，１１２の下端部１１１ｂ，１１２ｂの端部に面取り１１１ｆ，１１２ｆを形成してもよい。下端部１１１ｂ，１１２ｂの端部に面取り１１１ｆ，１１２ｆを形成すると、駒２０の上縁部２０ａが、係合板１１１の上端部１１１ａと係合板１１２の上端部１１２ａ間により導かれ易く、取付けが容易となる。
【００３８】
<取付け後>
駒２０の上縁部２０ａは、係合板１１１の下端部１１１ｂと係合板１１２の下端部１１２ｂの間を押し広げながら、弾性部材１２０の近傍まで進んでそれ以上の進入が困難となる。
駒２０の上縁部２０ａが、弾性部材１２０の近傍に達したところが、駒２０に対する弦楽器励振装置１００の駒２０への取付位置となる。駒２０の上端面は上に凸で湾曲しており、弾性部材１２０は、駒２０の上端面に対向する面が、駒２０の上端面の湾曲した形状に沿って形成されている。このため、駒２０の上縁部２０ａが、係合部１１１ｄ，１１２ｄに達した位置では、駒２０の上端面に対向する面が駒２０の上端面に近接する。
【００３９】
係合板１１１，１１２の係合部１１１ｄ，１１２ｄと駒２０の上縁部２０ａ（図３のハッチング部参照）との接触は、帯状（ただし、本実施形態では、逃げ開口部１１１ｅ，１１２ｅの間において短い略矩形状）の面接触であることが好ましく、少なくとも駒２０の上縁部２０ａの５％以上の部分において面接触となっていることが好ましい。例えば、駒２０の上縁部２０ａに対して、係合部１１１ｄ，１１２ｄの挟み込みや挟み込みの角度が十分でなかった場合であっても、少なくとも駒２０の上縁部２０ａの５％以上（好ましくは２０％以上、より好ましくは５０％以上）の部分が面接触となることを確保できる構造とする。また、上記帯状の面接触は、少なくとも一部が面接触（図１２の形状を含む）であればよい。
【００４０】
駒２０の上縁部２０ａには、弾性部材１２０によって、押し広げられた下端部１１１ｂと下端部１１２ｂが戻る方向の付勢力がかかるので、係合板１１１，１１２を介して弦楽器励振装置１００が駒２０の上縁部２０ａに取り付けられる。
【００４１】
<効果>
振動の伝達の観点からみると、弦楽器励振装置１００が駒２０の上縁部２０ａの所定場所に適度な力で少なくとも一部が面接触となるように当接していることが好ましい。具体的には、係合板１１１，１１２の係合部１１１ｄ，１１２ｄが駒２０の上縁部２０ａに、複数の帯状の面接触で接触している。これにより、音の振動伝達の追従性（振動の各成分の周波数特性）を高め、音の振動を安定、かつ、十分に伝えることができる。係合板１１１，１１２の係合部１１１ｄ，１１２ｄと駒２０の上縁部２０ａとの接触面積を適度に増やすことで、振動エネルギ（面積に依存する）を十分に伝えることができる。
【００４２】
また、本実施形態では、係合板１１１，１１２に、駒２０の材料と同じ振動を伝えやすい材料（例えば楓材）を用いている。このため、係合部１１１ｄ，１１２ｄが駒２０の上縁部２０ａに当接した状態では、係合部１１１ｄ，１１２ｄと駒２０の上縁部２０ａとが、いわば一つの部材として一体となって機能する。さらに言えば、弦楽器励振装置１００は、振動の伝達に関して、駒２０の上縁部２０ａが、係合板１１１，１１２の上端部１１１ａ，１１２ａまで延びたような特性となる。このため、振動伝達の特性が一様となり自然な音響を得ることができる。
なお、弦楽器励振装置１００は、駒２０の上縁部２０ａに取り付けられたときに、バイオリン１の弦１５は、逃げ開口部１１１ｅ，１１２ｅに対向する位置となり、弦１５に接触することはない。
【００４３】
一方で、弦楽器励振装置１００は、振動を減衰させる弾性部材１２０を有している。しかし、この弾性部材１２０は、係合板１１１の上端部１１１ａと係合板１１２の上端部１１２ａとで挟まれていて、振動の伝わる方向には配置されていない。このため、弾性部材１２０によって振動が減衰（ミュート効果）するおそれはない。
なお、スピーカ２００本体を支持する支持部材（図示省略）を別体で設置してもよい。
【００４４】
以上説明したように、本実施形態の弦楽器励振装置１００の構成により、スピーカ２００からの音響振動をバイオリン１の駒２０に良好に伝達することができ、バイオリン１を高音質で鳴らすことができる。弦楽器励振装置１００は、バイオリン１そのものを響鳴させている。そのため、弦楽器励振装置１００は、バイオリン１の生演奏と同じように臨場感あふれる高音質の楽音を再生することができる。
【００４５】
事前に行った駒２０上の励振場所とバイオリン再生音の視聴実験結果によると、駒２０の上縁部２０ａのうち、(1)左端、(2)Ｇ線とＤ線の中間、(3)Ｄ線とＡ線の中間、(4)Ａ線とＥ線の中間、(5)右端、の各部毎に、視聴実験用の係合板１１１，１１２をそれぞれ係合させてみた。その結果、バスバー側の上記(1)は最も低音が豊かな音、魂柱側の上記(5)は低音が乏しい固い音、他の上記(2)−(4)は中間的な音質となった。
上述したように、本弦楽器励振装置１００は、係合板１１１，１１２の係合部１１１ｄ，１１２ｄが、駒２０の上縁部２０ａに沿って、弦１５用の逃げ開口部１１１ｅ，１１２ｅを除いて帯状の面接触で均一に当接しているので、低音域から中音域、中音域から高音域までバランスの取れた音響が得られ、バイオリン固有の豊かで美しい響きを再生することができ、バイオリン生演奏と遜色ない、優れた臨場感を実現することができた。
【００４６】
また、汎用のスピーカ２００を、弦楽器励振装置１００の音響振動器として使用することが可能となった。高音質で安価な汎用のスピーカ２００を使用できることのメリットは大きい。
【００４７】
［変形例］
次に、本発明の実施形態の変形例に係る弦楽器励振装置の構成を説明する。
<変形例１>
図６に示すように、弦楽器励振装置１００Ａは、さらに、係合板１１１，１１２の両側端面に可撓性部材からなるアーム１２１と、アーム１２１の先端に設けられた円筒形の係止部１２２と、を備える。
アーム１２１および係止部１２２は、可撓性を有し、駒２０の側端面の円形窪み部２０ｄ（前記図３（ａ）参照）に係合するフック１２３を構成する。また、アーム１２１は、その基端が矢印で示すように、係合板１１１，１１２に回動自在に支持される。
【００４８】
変形例１では、弦楽器励振装置１００Ａは、アーム１２１を矢印の方向に移動して駒２０の側端面に係合するフック１２３を備えることで、経時変化や振動の影響により係合板１１１，１１２の係合部１１１ｄ，１１２ｄと駒２０の上縁部２０ａとの位置関係がずれてしまうことを防ぐことができる。弦楽器励振装置１００Ａは、外部からの影響を受けても、スピーカ２００からの音響振動の特性を損なうことなく、スピーカ２００からの音響振動をいつまでも良好に駒２０に伝達することができる。
【００４９】
<変形例２>
図７（ａ）に示すように、変形例２の弦楽器励振装置１００Ｂは、駒２０の上縁部２０ａを挟み込む応力を付与する弾性部材１２０Ｂを備える。
弾性部材１２０Ｂは、係合板１１１，１１２と弾性部材１２０Ｂとを接合する接合部１１１ｃ，１１２ｃが、駒２０の両側の幅（側部）の部分まで延びている。つまり、接合部１１１ｃ，１１２ｃは、駒２０の両側端の高さ方向における少なくとも一部を覆うように形成されている。
これにより、弦楽器励振装置１００Ｂは、係合板１１１，１１２と接合部１１１ｃ，１１２ｃとにより駒２０の上縁部２０ａ全体を覆うので、弦楽器励振装置１００Ｂを駒２０の上縁部２０ａに、より安定して取り付けることができる。また、弦楽器励振装置１００Ｂを長時間使用しても、良好な取付け状態を維持することができる。
【００５０】
上述したように、駒２０の対向面は、一方側がわずかに凸形状（図５参照）となっている。このため、駒２０の上縁部２０ａの左右両端と係合板１１１，１１２の左右両端部との当接状態が損なわれるおそれがある。変形例２の構成を採ることで、係合板１１１，１１２の左右両端部が弾性部材１２０Ｂによって規制されるので、係合部１１１ｄ，１１２ｄの左右の当接状態をより確実に確保することができる。
【００５１】
<変形例３>
図７（ｂ）に示すように、変形例３の弦楽器励振装置１００Ｃは、駒２０の上縁部２０ａを挟み込む応力を付与する弾性部材１２０Ｃを備える。弾性部材１２０Ｃは、シリコンゴム等のゴム材料の他、樹脂や粘り気のある木材（例えば２〜３ｍｍ厚の楓材）からなり、可撓性を有する。
弾性部材１２０Ｃは、係合板１１１，１１２の上端部１１１ａ，１１２ａと、この上端部１１１ａ，１１２ａに連続する係合板１１１，１１２の両側端の少なくとも一部とを含む部分を合わせて接合部１１１ｃ，１１２ｃとし、この接合部１１１ｃ，１１２ｃに接合される。このため、係合板１１１，１１２は、上端部１１１ａ，１１２ａ（接合部１１１ｃ，１１２ｃ）のみが弾性部材１２０Ｃによって接合された片持ち構造となる。
弦楽器励振装置１００Ｃは、弦楽器励振装置１００，１００Ａ，１００Ｂと同様の効果を得ることができる。
【００５２】
変形例３では、弾性部材１２０Ｃを係合板１１１，１１２の互いに対面している部分の外部に接合するので、弾性部材１２０Ｃの容積（弾性力を付与する）を大きく取ることができる。このため、弦楽器励振装置１００Ｃを、駒２０の上縁部２０ａに、より柔軟に取り付けることができる。また、駒２０の上縁部２０ａの形状や厚みに多少の差異があっても装着が可能である。
【００５３】
（第２の実施形態）
図８は、第２の実施形態に係る弦楽器励振装置４００の構成を示す斜視図である。図１および図７（ａ）と同一構成部分には同一符号を付している。
図８に示すように、弦楽器励振装置４００は、弦楽器励振装置１００Ｂの構成に加えさらに、係合板１１１，１１２を弦１５（ここでは弦１５ａ，１５ｄ）に係止させる前後一対の支持アーム４１０と、係合板１１１，１１２の上端部１１１ａ，１１２ａに設けられ、スピーカ５００の振動部に連結された取付ロッド５１０のスピーカ取付部５１１を着脱自在に受ける取付受け部４２０と、を備える。上記取付受け部４２０、取付ロッド５１０およびスピーカ取付板５１１は、取付部を構成する。
【００５４】
<支持アーム４１０>
図１０に示すように、支持アーム４１０は、係合板１１１，１１２の面のそれぞれに設けられた弦１５の方向に沿って設けられ、係合板１１１，１１２の表面に、弦１５と直交するように弾性部材４３０（第２弾性部材）を介して取り付けられる。弾性部材４３０は、係合板１１１，１１２と支持アーム４１０との間に介在して、係合板１１１，１１２のぐらつきを抑制する。また、弾性部材４３０は、係合板１１１，１１２に対して支持アーム４１０を適度に撓らせることで、支持アーム４１０の弦１５への取付けを容易にする。支持アーム４１０の長さや幅については後記する。支持アーム４１０の材質は、どのようなものでもよい。
図８〜図１０に示すように、支持アーム４１０は、弦１５の張力方向に向かって延出する平行な２本の本体部４１１と、２本の本体部４１１の間を架橋する円柱形状の第１係止ピン４１２と、２本の突出部４１１間で向かい合うように突出する第２係止ピン４１３と、を備える。
第１係止ピン４１２および第２係止ピン４１３は、２本の本体部４１１に支持され、互いの本体部４１１側に向かって突出して設けられ、弦１５に係止する。
【００５５】
支持アーム４１０の長さおよび幅は、下記の観点から設ける。
支持アーム４１０は、第１係止ピン４１２と第２係止ピン４１３とに上下互い違いに弦１５を引っかけて本体部４１１を保持する。このため、第１係止ピン４１２と第２係止ピン４１３は、弦１５の方向に所定距離離れて本体部４１１に設ける必要がある。また、第１係止ピン４１２と第２係止ピン４１３とに引っかける弦１５は、係合板１１１，１１２の幅方向のぐらつきを抑制するために、少なくとも２本（本例では、弦１５ａと弦１５ｄ）が好ましい。また、支持アーム４１０は、少なくとも２本の弦が収容できる本体部４１１の幅に形成する。
【００５６】
図１０および図１１（ａ）（ｂ）に示すように、第１係止ピン４１２と第２係止ピン４１３とは、それぞれの本体部４１１の対向面から見て、高さ方向に段差を有するように設けられる。すなわち、本体部４１１の対向面において、第１係止ピン４１２は、弦１５の上端が当接する位置に設けられ、第２係止ピン４１３は、弦１５の下端が当接する高さに設けられる。弦楽器励振装置４００の設置後には、弦１５は、第１係止ピン４１２と第２係止ピン４１３とによって上下方向から挟まれる。
【００５７】
<取付受け部４２０>
取付受け部４２０は、側面部から内側に向かって矩形形状の溝部４２１が形成されている。図９（ｂ）に示すように、溝部４２１には、取付ロッド５１０のスピーカ取付部５１１が側面部からスライドして装着される。前記装着後には、取付受け部４２０上にスピーカ５００が安定して設置される。
【００５８】
<スピーカ５００>
図９および図１０（ａ）に示すように、スピーカ５００の振動部（図示省略）には、取付ロッド５１０の一端が接合され、取付ロッド５１０の他端には矩形形状のスピーカ取付部５１１が設けられる。スピーカ取付部５１１は、矩形形状の薄板である。なお、取付ロッド５１０とスピーカ取付部５１１とは、同一部材により一体形成されていても別部材を用いて構成されていてもよい。
【００５９】
以上の構成において、弦楽器励振装置４００の駒２０への取り付けは、第１の実施形態の弦楽器励振装置１００，１００Ａ，１００Ｂと同様である。
弦楽器励振装置４００は、駒２０への取り付け後、支持アーム４１０を用いて、さらに取付け状態を安定させる。以下、支持アーム４１０の取付方法について説明する。
【００６０】
図１１（ｃ）（ｄ）に示すように、２本の弦１５（ここでは弦１５ａ，１５ｄ）の上に、弦１５ａ，１５ｄと平行に第１係止ピン４１２および第２係止ピン４１３を置く。
【００６１】
図１１（ｅ）（ｆ）に示すように、弦１５ａ，１５ｄを指で挟み、弦１５ａと弦１５ｄとの間隔を第２係止ピン４１３の切れ幅より狭める。
【００６２】
図１１（ｅ）（ｆ）の状態で第２係止ピン４１３を押し下げると、弦１５ａ，１５ｄは、第２係止ピン４１３の端部を迂回して、第２係止ピン４１３の上側に来る。図１１（ｇ）（ｈ）に示すように、指を弦１５ａ，１５ｄから離すと、弦１５ａ，１５ｄの幅は、第２係止ピン４１３の上側で元に戻る。そして、弦１５ａ，１５ｄは、第１係止ピン４１２と第２係止ピン４１３とによって上下方向から挟まれた状態となる。第１係止ピン４１２および第２係止ピン４１３は、弦１５ａ，１５ｄの撓みと張力で保持される。
第１係止ピン４１２および第２係止ピン４１３を外すには、弦１５ａ，１５ｄを指で挟んで、弦１５ａと弦１５ｄの間隔を狭くして、弦１５ａ，１５ｄを第２係止ピン４１３から外し、第１係止ピン４１２を引き上げる。
【００６３】
このように、弦楽器励振装置４００は、第１の実施の形態と同様の効果を得ることができることに加え、駒２０に取り付けた後、長時間使用したとしても、取付け位置がずれることがない。このため、良好な取付け状態を維持することができる。
【００６４】
また、本発明は、上記各実施形態や変形例に記載した構成に限定されるものではなく、特許請求の範囲に記載した本発明の要旨を逸脱しない限りにおいて、適宜その構成を変更することができる。
例えば、図１２（ａ）に示すように、係合板１１１の係合部１１１ｄは、断面台形状（メサ形状）の突起部１１３を備え、その頂上面１１３ａを駒２０の上縁部２０ａへの接触面とする構成でもよい。
図１２（ｂ）に示すように、係合板１１１の係合部１１１ｄは、三角形状の突起部１１４を備え、その頂上（直線）を駒２０の上縁部２０ａへの接触面とする構成でもよい。
また、図１２（ｃ）に示すように、三角形状の突起部１１５に頂上面１１５ａを形成し、その頂上面１１５ａを駒２０の上縁部２０ａへの接触面とする構成でもよい。
さらに、図１２（ｄ）に示すように、図１２（ｃ）の突起部１１５を分割して、突起部１１６を形成し、それぞれの頂上面１１６ａを駒２０の上縁部２０ａへの接触面とする構成でもよい。
なお、上縁部２０ａに対して５％以上の合計となるように、少なくとも一部が面接触として、点接触や線接触と併用されることとなっても構わない。
【００６５】
上記した実施形態例は本発明をわかりやすく説明するために詳細に説明したものであり、必ずしも説明した全ての構成を備えるものに限定されるものではない。また、ある実施形態例の構成の一部を他の実施形態例の構成に置き換えることが可能であり、また、ある実施形態例の構成に他の実施形態例の構成を加えることも可能である。また、各実施形態例の構成の一部について、他の構成の追加・削除・置換をすることが可能である。
【００６６】
また、本実施の形態では弦楽器励振装置および弦楽器励振システムという名称を用いたが、これは説明の便宜上であり、弦楽器振動装置、弦楽器再生システム等であってもよい。
【符号の説明】
【００６７】
１  バイオリン（弦楽器）
２  表板
１５  弦
２０  駒
２０ａ  駒の上縁部
２０ｂ  弦溝
２０ｃ  足部
２０ｄ  円形開口部
１００，１００Ａ，１００Ｂ，１００Ｃ，４００  弦楽器励振装置
１１１，１１２  一対の係合板
１１１ａ，１１２ａ  係合板の上端部
１１１ｂ，１１２ｂ  係合板の下端部
１１１ｃ，１１２ｃ  係合板の接合部
１１１ｄ，１１２ｄ  係合板の係合部
１１１ｅ，１１２ｅ  係合板の逃げ開口部
１１３，１１４，１１５  係合板の係合部の突起部
１１３ａ，１１５ａ，１１６ａ  頂上面
１２０，１２０Ｂ，１２０Ｃ  弾性部材
１２１  アーム（フック）
１２２  係止部（フック）
１２３  フック
１３０，５１０  取付ロッド（取付部）
１３１  取付板（取付部）
１３１ａ  接合面
２００，５００  スピーカ
３００  音源装置
４１０  支持アーム
４１１  本体部
４１２  第１係止ピン
４１３  第２係止ピン
４２０  取付受け部（取付部）
４３０  弾性部材（第２弾性部材）
５１１  スピーカ取付部（取付部）
Ｓ  弦楽器励振システム
【図１】
2019029703.tif 000003
【図２】
2019029703.tif 000004
【図３】
2019029703.tif 000005
【図４】
2019029703.tif 000006
【図５】
2019029703.tif 000007
【図６】
2019029703.tif 000008
【図７】
2019029703.tif 000009
【図８】
2019029703.tif 000010
【図９】
2019029703.tif 000011
【図１０】
2019029703.tif 000012
【図１１】
2019029703.tif 000013
【図１２】
2019029703.tif 000014